(57)【要約】      （修正有）【課題】ウォータージェット推進機を分解した際に、インペラーが剥き出しになることを防止することができるウォータージェット推進機を提供する。【解決手段】ウォータージェット推進機２０は、インペラーハウジング３０の後端部３０ａにステーター３２を設け、インペラーハウジング３０内にインペラー３６を配置し、インペラー３６を回転して水ジェットを噴射するものである。このウォータージェット推進機２０は、インペラー３６を、ステーター３２に回転自在に設けるとともに、インペラーハウジング３０内に配置し、インペラーハウジング３０、ステーター３２およびノズル３４を、連結ボルト９４で一体に連結し、インペラーハウジング３０およびステーター３２をロックボルト９６で一体に連結したものである。【選択図】図４
2006076501.tif 000002
【特許請求の範囲】
【請求項１】
艇体の後部に円筒状のインペラーハウジングを設け、このインペラーハウジングの後端部に円筒状のステーターを設け、このステーターの後端部に後方に向けて徐々に縮径するノズルを設け、インペラーハウジング内にインペラーを配置し、このインペラーを回転することによりノズルの後端部から水ジェットを噴射させて艇体を推進させるウォータージェット推進機において、
前記インペラーを、前記ステーターに回転自在に設けるとともに、インペラーハウジング内に配置し、
このインペラーハウジング、ステーターおよび前記ノズルを、第１ボルトで一体に連結し、
インペラーハウジングおよびステーターを第２ボルトで一体に連結したことを特徴とするウォータージェット推進機。
【請求項２】
前記第１ボルトの頭部を、前記艇体の後方に向けて配置し、
前記第２ボルトの頭部を、前記艇体の前方に向けて配置したことを特徴とする請求項１記載のウォータージェット推進機。
【請求項３】
前記ステーター内の水を外部に取り出す水取出通路を前記ステーターの外壁に設け、
この水取出通路に連通する水案内通路を前記インペラーハウジングの外壁に設け、
前記水取出通路を形成する壁部および前記水案内通路を形成する壁部に、第１張出片および第２張出片を互いに対向させて形成し、
第１、第２の張出片を前記第２ボルトで連結したことを特徴とする請求項１記載のウォータージェット推進機。
【発明の詳細な説明】
【技術分野】
【０００１】
本発明は、艇体の後部にインペラーハウジングを設け、このインペラーハウジング内のインペラーを回転することにより水ジェットを噴射するウォータージェット推進機に関する。
【背景技術】
【０００２】
ウォータージェット推進機は、艇体の後部に取り付け、インペラーをエンジンで駆動することにより艇底から水を吸い込み、吸い込んだ水を後方に噴射して船艇を推進させるものである（例えば、特許文献１参照。）。
【特許文献１】特開平９−９９８９７号公報
【０００３】
特許文献１を次図に基づいて説明する。
図１１は従来の基本構成を説明する図である。
ウォータージェット推進機２００は、艇体２０１の後部２０２に円筒状のインペラーハウジング２０３を備え、インペラーハウジング２０３の後端部２０３ａに円筒状のステーター２０４を備え、ステーター２０４の後端部２０４ａに後方に向けて徐々に縮径するノズル２０５を備え、ノズル２０５に上下のピン２０６，２０６を介してステアリングノズル２０７を左右方向にスイング自在に備える。
【０００４】
インペラーハウジング内２０３にインペラー２０８を配置し、このインペラー２０８の回転軸２０９をステーター２０４まで延ばし、延ばした回転軸２０４を軸受２１１，２１１を介してステーター２０４に回転自在に取り付ける。
【０００５】
このウォータージェット推進機２００によれば、インペラーハウジング２０３内のインペラー２０８をエンジン（図示せず）で回転することにより、ステアリングノズル２０７の後端部２０７ａから水ジェットを噴射させて艇体２０１を推進させる。
ステアリングノズル２０７を、上下のピン２０６，２０６を軸に左右にスイングすることにより、艇体２０１を左右に旋回させる。
【発明の開示】
【発明が解決しようとする課題】
【０００６】
ところで、ウォータージェット推進機２００は、インペラーハウジング２０３、ステーター２０４およびノズル２０５を一体に取り付ける手段として、通常、連結ボルト（図示せず）を使用している。
【０００７】
すなわち、インペラーハウジング２０３、ステーター２０４およびノズル２０５のそれぞれの外壁に取付部（図示せず）を設け、インペラーハウジング２０３の取付部、ステーター２０４の取付部およびノズル２０５の取付部に、前記連結ボルトを通し、この連結ボルトで、インペラーハウジング２０３、ステーター２０４およびノズル２０５を一体に連結する。
【０００８】
このため、例えば、ウォータージェット推進機２００を保守点検するために、前記連結ボルトを外してウォータージェット推進機２００を分解した際に、インペラーハウジング２０３、ステーター２０４およびノズル２０５がそれぞれ個別に分解される。
ここで、インペラー２０８は、回転軸２０９をステーター２０４まで延ばし、延ばした回転軸２０４を軸受２１１を介してステーター２０４に回転自在に取り付けられている。
【０００９】
したがって、インペラーハウジング２０３、ステーター２０４およびノズル２０５をそれぞれ個別に分解した際に、インペラー２０８とステーター２０４は一体となってインペラーハウジング２０３やノズル２０５から分割される。
よって、インペラー２０８がインペラーハウジング２０３から取り出されて剥き出しになってしまう。
【００１０】
本発明は、ウォータージェット推進機を分解した際に、インペラーが剥き出しになることを防止することができるウォータージェット推進機を提供することを課題とする。
【課題を解決するための手段】
【００１１】
請求項１に係る発明は、艇体の後部に円筒状のインペラーハウジングを設け、このインペラーハウジングの後端部に円筒状のステーターを設け、このステーターの後端部に後方に向けて徐々に縮径するノズルを設け、インペラーハウジング内にインペラーを配置し、このインペラーを回転することによりノズルの後端部から水ジェットを噴射させて艇体を推進させるウォータージェット推進機において、前記インペラーを、前記ステーターに回転自在に設けるとともに、インペラーハウジング内に配置し、このインペラーハウジング、ステーターおよび前記ノズルを、第１ボルトで一体に連結し、インペラーハウジングおよびステーターを第２ボルトで一体に連結したことを特徴とする。
【００１２】
インペラーを、ステーターに回転自在に設けるとともに、インペラーハウジング内に配置し、インペラーハウジングおよびステーターを第２ボルトで一体に連結した。
よって、第１ボルトを外した際に、インペラーハウジングおよびステーターを連結した状態に保持する。これにより、インペラーハウジング内にインペラーを収納した状態を保ち、インペラーが剥き出しになることを防止することができる。
【００１３】
請求項２は、第１ボルトの頭部を、艇体の後方に向けて配置し、第２ボルトの頭部を、艇体の前方に向けて配置したことを特徴とする。
【００１４】
第１ボルトの頭部を、艇体の後方に向けて配置した。これにより、艇体の後方から第１ボルトの頭部に着脱用の工具を簡単にセットすることが可能になり、第１ボルトを簡単に手間をかけないで着脱することができる。
また、第２ボルトの頭部を、艇体の前方に向けて配置した。これにより、艇体の後方から第１ボルトの頭部に着脱用の工具をセットする際に、第２ボルトの頭部を後方から見えないように隠すことが可能になる。
第２ボルトの頭部を後方から見えないように隠すことで、第２ボルトを不用意に外してしまうことを防止することができる。
【００１５】
請求項３は、ステーター内の水を外部に取り出す水取出通路を前記ステーターの外壁に設け、この水取出通路に連通する水案内通路をインペラーハウジングの外壁に設け、前記水取出通路を形成する壁部および前記水案内通路を形成する壁部に、第１張出片および第２張出片を互いに対向させて形成し、第１、第２の張出片を前記第２ボルトで連結したことを特徴とする。
【００１６】
水取出通路を形成する壁部および水案内通路を形成する壁部に、第１張出片および第２張出片を互いに対向させて形成した。そして、第１、第２の張出片に第２ボルトを取り付けた。
よって、第１、第２の張出片を第２ボルトで締め付けることにより、第１、第２の張出片を介して、水取出通路と水案内通路との連結部を確実に密閉することができる。
【発明の効果】
【００１７】
請求項１に係る発明では、インペラーが剥き出しになることを防ぐことができるという利点がある。
【００１８】
請求項２に係る発明では、第２ボルトの頭部を後方から見えないように隠すことで、第２ボルトを不用意に外してしまうことを防止することができるという利点がある。
【００１９】
請求項３に係る発明では、第１、第２の張出片を介して、水取出通路と水案内通路との連結部を確実に密閉することで、ステーター内の水を外部に効率よく取り出すことができるという利点がある。
【発明を実施するための最良の形態】
【００２０】
本発明を実施するための最良の形態を添付図に基づいて以下に説明する。なお、「前」、「後」、「左」、「右」は運転者から見た方向に従い、Ｆｒは前側、Ｒｒは後側、Ｌは左側、Ｒは右側を示す。
【００２１】
図１は本発明に係るウォータージェット推進機を備えた小型水上艇の側面図である。
小型水上艇１０は、艇体１１の前部１２に燃料タンク１３を取り付け、この燃料タンク１３の後方にエンジン１４を設け、このエンジン１４後方の艇尾（艇体の後部）１５にジェット推進機室１６を設け、このジェット推進機室１６にウォータージェット推進機２０を備える。
【００２２】
さらに、小型水上艇１０は、ウォータージェット推進機２０の後方に上下のピン１８，１９を介してステアリングノズル２１を左右にスイング自在に備え、このステアリングノズル２１を左右にスイング操作する操舵ハンドル２２を燃料タンク１３の上方に取り付け、操舵ハンドル２２の後方にシート２３を備える。
【００２３】
図２は本発明に係るウォータージェット推進機を示す断面図である。
ウォータージェット推進機２０は、艇体１１の艇尾１５のうち、艇底１７に水流ダクト２４の吸込み口２５（図１に示す）を開口し、この水流ダクト２４をジェット推進機室１６まで延ばし、ジェット推進機室１６の壁部２６に第１、第２の基台２７，２８を取り付け、第１、第２の基台２７，２８に円筒状のインペラーハウジング３０を設け、このインペラーハウジング３０の後端部３０ａに円筒状のステーター３２を設け、このステーター３２の後端部３２ａに後方に向けて徐々に縮径するノズル３４を設けたものである。
【００２４】
さらに、ウォータージェット推進機２０は、インペラーハウジング３０内にインペラー３６を配置し、このインペラー３６の雌スプライン３７にドライブシャフト３８の雄スプライン３９をスプライン結合し、このドライブシャフト３８の前端をエンジン１４（図１参照）に連結し、インペラー３６の雌ねじ４１にサポートシャフト４２の雄ねじ４３をねじ結合し、このサポートシャフト４２をベアリング４４を介してステーター３２の軸受４６に回転自在に備える。
【００２５】
すなわち、インペラー３６の雌ねじ４１にサポートシャフト４２の雄ねじ４３をねじ結合することで、インペラー３６とサポートシャフト４２とを一体化する。
そして、サポートシャフト４２をベアリング４４を介してステーター３２の軸受４６に回転自在に備えることで、インペラー３６を、ステーター３２に回転自在に取り付ける。
このインペラー３６は、インペラーハウジング３０内に配置、すなわち収容されている。
【００２６】
軸受４６は、複数のステー４８…（…は複数を示す）を介してステーター３２の筒体４９に固定されている。
軸受４６の後端部にボルト６９…を介してキャップ６８が取り付けられている。
ステー４８…は、軸受４６の外周からステーター３２の筒体４９まで放射状に延びた部材である。
【００２７】
図３は本発明に係るウォータージェット推進機のインペラーハウジング、ライナーおよびステーターを分解した状態を示す断面図である。なお、図中において、想像線で示すライナー５３は、インペラーハウジング３０にインサート成形した状態を示す。
ウォータージェット推進機２０は、インペラーハウジング３０の内周５１のうち、前端部５１ａを避けてインペラー３６（図２参照）を配置し、インペラーハウジング３０の内周５１のうち、インペラー３６に臨むとともに前端部５１ａを除いた部位５１ｂにライナー５３を備え、前端部５１ａの内径を前方に向けて、すなわち前縁５１ｃに向けて徐々に拡径するように形成したものである。
【００２８】
前端部５１ａの内径を前縁５１ｃに向けて徐々に拡径することで、前端部５１ａを断面湾曲状に形成する。
このように、前端部５１ａの内径を前縁５１ｃに向けて徐々に拡径することで、内周５１の前縁５１ｃの内径を、図２に示す第１基台２７の内径と同じにする。第１基台２７の内径は、水流ダクト２４の後端部２４ａの内径と同じである。
よって、内周５１の前縁５１ｃの内径は、水流ダクト２４の後端部２４ａの内径と同じである。
【００２９】
ライナー５３は、一例として、インペラーハウジング３０に鋳込まれた（インサート成形された）、ステンレス製の筒状部材である。
なお、インペラーハウジング３０の後端部３０ａにステーター３２を組み付ける際に、位置決めピン２９を用いることで、インペラーハウジング３０にステーター３２を組み付ける作業の簡素化を図る。
【００３０】
図２に戻って、ウォータージェット推進機２０によれば、エンジン１４（図１参照）でドライブシャフト３８を回転することによりインペラー３６を回転する。
インペラー３６が回転することにより、吸込み口２５（図１参照）から水流ダクト２４に水を吸い込み、吸い込んだ水を水流ダクト２４の後端部２４ａを介してインペラーハウジング３０内に吸い込む。
【００３１】
インペラーハウジング３０内の水は、インペラー３６の回転でステーター３２を介してノズル３４に送られ、ノズル３４の後端部３４ａから水ジェットを矢印ｂの如く後方に向けて噴射する。
ノズル３４の後端部３４ａから水ジェットを後方に向けて噴射することで、小型水上艇１０（図１に示す）を推進させる。
【００３２】
図４は本発明に係るウォータージェット推進機を示す分解斜視図である。
インペラーハウジング３０は、円筒状に形成した部材であって、前端部３０ｂに４個の取付ブラケット５５…を所定間隔をおいて設け、取付ブラケット５５…にそれぞれ取付孔５６…を形成し、後端部３０ａに後フランジ５７を形成し、後フランジ５７の４隅部にそれぞれ取付ねじ孔５８…（左側の取付ねじ孔５８５８，５８のみを図示する）を形成したものである。
【００３３】
このインペラーハウジング３０は、外壁６１の左側部６１ａに水案内通路６２を設け、水案内通路６２を形成する壁部６３に左側第２張出片（第２張出片）６４を設け、左側第２張出片６４に取付孔６５を形成し、左側第２張出片６４の反対側、すなわち外壁６１の右側部（図示せず）に右側第２張出片６６（図６参照）を設け、右側第２張出片６６に取付孔６７（図６参照）を形成したものである。
【００３４】
ライナー５３は、一例として、インペラーハウジング３０を鋳造する際に、鋳込まれた（インサート成形された）ステンレス製の筒状部材である。
ライナー５３を、耐摩耗性に優れたステンレス鋼材で形成することで、インペラー３６（図２参照）の回転中に、万が一、インペラー３６とインペラーハウジング３０との間に異物が侵入した場合でも、インペラーハウジング３０の内周５１に摩耗が発生することを防ぐ。
【００３５】
ステーター３２は、円筒状に形成した部材であって、前端部３２ｂに前フランジ７１を形成し、前フランジ７１の４隅部にそれぞれ取付孔７２…を形成し、後端部３２ａに後フランジ７３を形成し、後フランジ７３の４隅部にそれぞれ取付孔７４…（右下の取付孔７４は図示せず）を形成したものである。
前フランジ７１の取付孔７２…と、後フランジ７３の取付孔７４…とは、それぞれ同軸上に形成されている。
【００３６】
このステーター３２は、外壁７６の左側部７６ａに水取出部７７を設け、この水取出部７７に水取出通路７８を設け、水取出通路７８を形成する壁部８１に左側第１張出片（第１張出片）８２を設け、左側第１張出片８２に取付ねじ孔８３を形成し、左側第１張出片８２の反対側、すなわち外壁７６の右側部（図示せず）に右側第１張出片８４（図６も参照）を設け、右側第１張出片８４に取付ねじ孔８５（図６も参照）を形成したものである。
【００３７】
左側第１張出片８２は、左側第２張出片６４に対向する位置に設けられ、右側第１張出片８４は、右側第２張出片６６（図６参照）に対向する位置に設けられている。
水取出通路７８は、ステーター３２内の水を、水取出部７７を介して外部に取り出し、取り出した水を水案内通路６２に導く通路である。
水案内通路６２まで導いた水は、図示しない通路を通してエンジンまで導かれ、エンジンを冷却する冷却水として使用する。
【００３８】
ここで、ウォータージェット推進機２０のなかには、インペラーハウジング３０とステーター３２とを一体成形したものがある。インペラーハウジング３０とステーター３２とを一体成形すると、一体成形した部材は、比較的大型で、複雑な形状になる。
このため、インペラーハウジング３０とステーター３２とを一体に成形するためには、成形型が大型で、かつ複雑な形状になり、設備費が嵩む。
【００３９】
そこで、インペラーハウジング３０とステーター３２とを２分割することで、各部材３０，３２をコンパクト化し、かつ各部材３０，３２の形状を簡素化した。
これにより、インペラーハウジング３０やステーター３２を成形する成形型を小型化し、かつ簡素な形状にして、設備費を抑えることができる。
【００４０】
ステーター３２の後端部３２ａにはノズル３４が取り付けられる。
ノズル３４は、前端部３４ｂから後端部３４ａに向けて徐々に縮径するように形成した部材であって、前端部３４ｂに前フランジ９１を形成し、前フランジ９１の４隅部にそれぞれ取付孔９２…を形成したものである。
【００４１】
インペラーハウジング３０の後端部３０ａにステーター３２の前端部３２ｂを突き当てることで、後フランジ５７の取付ねじ孔５８…に前フランジ７１の取付孔７２…をそれぞれ合わせる。
【００４２】
さらに、インペラーハウジング３０の後端部３０ａにステーター３２の前端部３２ｂを突き当てることで、水取出通路７８の開口端７８ａに、水案内通路６２の後開口端６２ａを連結して、水案内通路６２に水取出通路７８を連通し、かつ左側第２張出片６４を左側第１張出片８２に当接するとともに、右側第２張出片６６（図６参照）を右側第１張出片８４に当接する。
【００４３】
また、ステーター３２の後端部３２ａにノズル３４の前端部３４ｂを突き当てることで、後フランジ７３の取付孔７４…に前フランジ９１の取付孔９２…をそれぞれ合わせる。
前フランジ９１の取付孔９２…、後フランジ７３の取付孔７４…、前フランジ７１の取付孔７２…および後フランジ５７の取付ねじ孔５８…に、連結ボルト（第１ボルト）９４…を差し込む。
連結ボルト９４は、基端部に頭部９４ａを備え、先端部にねじ部９４ｂを備える。ねじ部９４ｂは、取付ねじ孔５８にねじ結合可能な雄ねじである。
【００４４】
左側第２張出片６４を左側第１張出片８２に当接することで、左側第２張出片６４の取付孔６５に左側第１張出片８２の取付ねじ孔８３を合わせる。
左側第２張出片６４の取付孔６５および左側第１張出片８２の取付ねじ孔８３に、ロックボルト９６を差し込む。
ロックボルト９６は、基端部に頭部９６ａを備え、先端部にねじ部９６ｂを備える。ねじ部９６ｂは、取付ねじ孔８３にねじ結合可能な雄ねじである。
【００４５】
図５は本発明に係るウォータージェット推進機を示す側面図、図６は本発明に係るウォータージェット推進機を示す後面図である。
インペラーハウジング３０の後端部３０ａにステーター３２の前端部３２ｂを突き当てるとともに、ステーター３２の後端部３２ａにノズル３４の前端部３４ａを突き当てる。  この状態で、ノズル３４の取付孔９２…、ステーター３２の取付孔７４…および取付孔７２…、インペラーハウジング３０の取付ねじ孔５８…に、連結ボルト９４…を差し込み。
連結ボルト９４…のねじ部９４ａ…を、取付ねじ孔５８…にそれぞれねじ結合する。
【００４６】
これにより、インペラーハウジング３０とノズル３４とでステーター３２を挟持して、インペラーハウジング３０、ステーター３２およびノズル３４を、４本の連結ボルト９４…で一体に連結する。
この状態で、連結ボルト９４…は、頭部９４ａ…が、艇体１１（図１参照）の後方に向けて配置される。
【００４７】
インペラーハウジング３０、ステーター３２およびノズル３４を一体に連結することで、水取出通路７８に水案内通路６２を連通する。
さらに、インペラーハウジング３０、ステーター３２およびノズル３４を一体に連結することで、左側第１張出片８２および左側第２張出片６４を互いに対向させるとともに、右側第１張出片８４および右側第２張出片６６（図６参照）を互いに対向させる。
【００４８】
左側第２張出片６４の取付孔６５（図７参照）にロックボルト（第２ボルト）９６を差し込み、左側第２張出片６４から突出したねじ部９６ｂを、左側第１張出片８２の取付ねじ孔８３（図７参照）にねじ結合する。
すなわち、左側第１張出片８２および左側第２張出片６４をロックボルト９６で連結する。
【００４９】
さらに、図６に示すように、右側第２張出片６６の取付孔６７にロックボルト（第２ボルト）９６を差し込み、右側第２張出片６６から突出したねじ部９６ｂを、右側第１張出片８４の取付ねじ孔８５にねじ結合する。
すなわち、右側第１張出片８４および右側第２張出片６６をロックボルト９６で連結する。
【００５０】
左側第１張出片８２および左側第２張出片６４をロックボルト９６で連結するとともに、右側第１張出片８４および右側第２張出片６６をロックボルト９６で連結することで、インペラーハウジング３０およびステーター３２を２本のロックボルト９６，９６で一体に連結する。
この状態で、ロックボルト９６，９６は、頭部９６ａ，９６ａが、艇体１１（図１参照）の前方に向けて配置される。
なお、インペラーハウジング３０およびステーター３２を２本のロックボルト９６，９６で一体に連結する理由は、図８〜図９で詳しく説明する。
【００５１】
インペラーハウジング３０、ステーター３２およびノズル３４を一体化した状態で、第１、第２の基台２７，２８（図２参照）に、インペラーハウジング３０の取付ブラケット５５を当て、取付ブラケット５５の取付孔５６…に取付ボルト９８…をそれぞれ差し込む。
取付ブラケット５５から突出した取付ボルト９８…のねじ部９８ｂ…を、第１、第２の基台２７，２８のねじ孔（図示せず）にねじ結合する。
【００５２】
これにより、インペラーハウジング３０、ステーター３２およびノズル３４を、第１、第２の基台２７，２８に取付ボルト９８…で取り付ける。
この状態で、取付ボルト９８…は、頭部９８ａ…が、艇体１１（図１参照）の後方に向けて配置される。
【００５３】
連結ボルト９４…の頭部９４ａ…を、艇体１１（図１参照）の後方に向けて配置した。
これにより、艇体１１の後方から連結ボルト９４…の頭部９４ａ…に着脱用の工具を簡単にセットし、連結ボルト９４…を簡単に手間をかけないで着脱する。
【００５４】
また、取付ボルト９８…の頭部９８ａ…を、艇体１１（図１参照）の後方に向けて配置した。
これにより、艇体１１の後方から取付ボルト９８…の頭部９８ａ…に着脱用の工具を簡単にセットし、取付ボルト９８…を簡単に手間をかけないで着脱する。
【００５５】
さらに、ロックボルト９６，９６の頭部９６ａ，９６ａを、艇体１１（図１参照）の前方に向けて配置した。
これにより、艇体１１の後方から連結ボルト９４…の頭部９４ａ…や、取付ボルト９８…の頭部９８ａ…に着脱用の工具をセットする際に、ロックボルト９６，９６の頭部９６ａ，９６ａを後方から見えないように隠すことができる。
ロックボルト９６，９６の頭部９６ａ，９６ａを後方から見えないように隠すことで、ロックボルト９６，９６を不用意に外してしまうことを防止する。
【００５６】
図７は図６の７−７線断面図である。
左側第２張出片６４の取付孔６５にロックボルト９６を差し込み、左側第２張出片６４から突出したねじ部９６ｂを左側第１張出片８２の取付ねじ孔８３にねじ結合する。
左側第２張出片６４と左側第１張出片８２とを互いに対向させた状態で、ロックボルト９６で締め付ける。
【００５７】
ここで、左側第２張出片６４は水案内通路６２の壁部６３に一体に形成され、左側第１張出片８２は水取出通路７８の壁部８１に一体形成されている。
よって、左側第２張出片６４と左側第１張出片８２とを互いに対向させた状態で、ロックボルト９６で締め付けることで、左側第２張出片６４および左側第１張出片８２を介して、水取出通路７８の開口端７８ａおよび水案内通路６２の後開口端６２ａを互いに当接させた状態で締め付ける。
これにより、水取出通路７８の開口端７８ａと、水案内通路６２の後開口端６２ａとの当接部（連結部）９９をシール材１０１で確実に密閉することができる。
【００５８】
なお、水取出通路７８は、水取出部７７の空間７７ａに連通している。空間７７ａは小孔７９…を介してステーター３２内に連通している。
よって、ステーター３２内の水を小孔７９…を介して空間７７ａに導き、空間７７ａに導いた水を水取出通路７８を介して水案内通路６２に導く。
【００５９】
次に、図８〜図９に基づいて、インペラーハウジング３０およびステーター３２を２本のロックボルトで一体に連結する理由について説明する。
図８は本発明に係るウォータージェット推進機から連結ボルトを外した状態を説明する図である。
ウォータージェット推進機２０のインペラー３６にサポートシャフト４２（図２参照）をねじ結合し、このサポートシャフト４２をステーター３２に回転自在に取り付ける。そして、インペラー３６をインペラーハウジング３０内に収容する。
【００６０】
この状態で、インペラーハウジング３０およびステーター３２をロックボルト９６，９６で一体に連結する。
よって、連結ボルト９４…を外してウォータージェット推進機２０を分割した際に、インペラーハウジング３０およびステーター３２を一体に連結した状態に保持する。
これにより、インペラーハウジング３０内にインペラー３６を収納した状態を保ち、インペラー３６が剥き出しになることを防止する。
【００６１】
図９は比較例のウォータージェット推進機から連結ボルトを外した状態を説明する図である。
ウォータージェット推進機２５０のインペラー２５１にサポートシャフト２５２をねじ結合し、このサポートシャフト２５２をステーター２５３に回転自在に取り付ける。そして、インペラー２５１をインペラーハウジング２５４内に収容する。
【００６２】
この状態で、インペラーハウジング２５４、ステーター２５３およびノズル２５５を連結ボルト２６６…で一体に連結する。
よって、連結ボルト２６６…を外してウォータージェット推進機２５０を分割した際に、インペラーハウジング２５４がステーター２５３から分割されてしまう。
これにより、インペラーハウジング２５４がインペラー２５１から離れ、インペラー２５１が剥き出しになる。
【００６３】
次に、図１０に基づいて、ウォータージェット推進機で小型水上艇を推進させる例を説明する。
図１０は本発明に係るウォータージェット推進機の作用を説明する図である。
ウォータージェット推進機２０は、インペラーハウジング３０の内周５１のうち、インペラー３６に臨むとともに前端部５１ａを除いた部位５１ｂにライナー５３を備えた。ライナー５３を備えない前端部５１ａの内径を、前縁５１ｃに向けて徐々に拡径して、断面湾曲状に形成した。
そして、内周５１の前縁５１ｃの内径を、第１基台２７の内径および水流ダクト２４の後端部２４ａの内径と同じにする。
【００６４】
よって、インペラーハウジング３０の内周５１のうち、インペラー３６に臨むとともに前端部５１ａを除いた部位５１ｂの内径を、水流ダクト２４の後端部２４ａの内周より小さくした場合でも、第１基台２７、水流ダクト２４の後端部２４ａおよび内周５１の前縁５１ｃに段差が生じない。
したがって、水流ダクト２４の後端部２４ａから第１基台２７および内周５１の前端部５１ａを介してインペラーハウジング３０に水を矢印の如く効率よく流入させることができる。
【００６５】
ところで、インペラー３６の回転中に、インペラー３６とインペラーハウジング３０との間に異物（図示せず）が侵入することが考えられる。
そこで、インペラーハウジング３０の内周５１のうち、インペラー３６に臨むとともに前端部５１ａを除いた部位５１ｂに、ステンレス製のライナー５３を備えた。
これにより、インペラー３６に臨むとともに前端部５１ａを除いた部位５１ｂの耐摩耗性を高めることが可能になり、万が一、インペラー３６とインペラーハウジング３０との間に異物（図示せず）が侵入しても、ライナー５３が摩耗することを抑えることができる。
【００６６】
なお、前記実施の形態では、インペラーハウジング３０、ステーター３２およびノズル３４を、４本の連結ボルト９４…で一体に連結した例について説明したが、連結ボルト９４…の本数は、これに限らないで任意に選択することができる。
【００６７】
また、前記実施の形態では、インペラーハウジング３０およびステーター３２を、２本のロックボルト９６…で一体に連結した例について説明したが、ロックボルト９６…の本数は、これに限らないで任意に選択することができる。
【００６８】
さらに、前記実施の形態では、水取出通路７８をステーター３２の左側に取り付け、水案内通路６２をインペラーハウジング３０の左側に取り付けた例について説明したが、水取出通路７８および水案内通路６２の取付位置は、これに限らないで任意に選択することができる。
【産業上の利用可能性】
【００６９】
本発明は、艇体の後部にインペラーハウジングを設け、このインペラーハウジング内のインペラーを回転することにより水ジェットを噴射するウォータージェット推進機への適用に好適である。
【図面の簡単な説明】
【００７０】
【図１】本発明に係るウォータージェット推進機を備えた小型水上艇の側面図である。
【図２】本発明に係るウォータージェット推進機を示す断面図である。
【図３】本発明に係るウォータージェット推進機のインペラーハウジング、ライナーおよびステーターを示す断面図である。
【図４】本発明に係るウォータージェット推進機を示す分解斜視図である。
【図５】本発明に係るウォータージェット推進機を示す側面図である。
【図６】本発明に係るウォータージェット推進機を示す後面図である。
【図７】図６の７−７線断面図である。
【図８】本発明に係るウォータージェット推進機から連結ボルトを外した状態を説明する図である。
【図９】比較例のウォータージェット推進機から連結ボルトを外した状態を説明する図である。
【図１０】本発明に係るウォータージェット推進機の作用を説明する図である。
【図１１】従来の基本構成を説明する図である。
【符号の説明】
【００７１】
１０…小型水上艇、１１…艇体、１５…艇尾（艇体の後部）、２０…ウォータージェット推進機、３０…インペラーハウジング、３０ａ…インペラーハウジングの後端部、３２…ステーター、３２ａ…ステーターの後端部、３４…ノズル、３４ａ…ノズルお後端部、３６…インペラー、６１…インペラーハウジングの外壁、６２…水案内通路、６３…水案内通路を形成する壁部、６４…左側第２張出片（第２張出片）、７６…ステーターの外壁、７８…水取出通路、８１…水取出通路を形成する壁部、８２…左側第１張出片（第１張出片）、９４…連結ボルト（第１ボルト）、９４ａ…連結ボルトの頭部（第１ボルトの頭部）、９６…ロックボルト（第２ボルト）、９６ａ…ロックボルトの頭部（第２ボルトの頭部）。
【図１】
2006076501.tif 000003
【図２】
2006076501.tif 000004
【図３】
2006076501.tif 000005
【図４】
2006076501.tif 000006
【図５】
2006076501.tif 000007
【図６】
2006076501.tif 000008
【図７】
2006076501.tif 000009
【図８】
2006076501.tif 000010
【図９】
2006076501.tif 000011
【図１０】
2006076501.tif 000012
【図１１】
2006076501.tif 000013
【手続補正書】
【提出日】平成17年8月5日(2005.8.5)
【手続補正１】
【補正対象書類名】明細書
【補正対象項目名】０００４
【補正方法】変更
【補正の内容】
【０００４】
インペラーハウジング内２０３にインペラー２０８を配置し、このインペラー２０８の回転軸２０９をステーター２０４まで延ばし、延ばした回転軸２０９を軸受２１１，２１１を介してステーター２０４に回転自在に取り付ける。
【手続補正２】
【補正対象書類名】明細書
【補正対象項目名】０００８
【補正方法】変更
【補正の内容】
【０００８】
このため、例えば、ウォータージェット推進機２００を保守点検するために、前記連結ボルトを外してウォータージェット推進機２００を分解した際に、インペラーハウジング２０３、ステーター２０４およびノズル２０５がそれぞれ個別に分解される。
ここで、インペラー２０８は、回転軸２０９をステーター２０４まで延ばし、延ばした回転軸２０９を軸受２１１，２１１を介してステーター２０４に回転自在に取り付けられている。
【手続補正３】
【補正対象書類名】明細書
【補正対象項目名】００３１
【補正方法】変更
【補正の内容】
【００３１】
インペラーハウジング３０内の水は、インペラー３６の回転でステーター３２を介してノズル３４に送られ、ノズル３４の後端部３４ａから水ジェットを後方に向けて噴射する。
ノズル３４の後端部３４ａから水ジェットを後方に向けて噴射することで、小型水上艇１０（図１に示す）を推進させる。
【手続補正４】
【補正対象書類名】明細書
【補正対象項目名】００３２
【補正方法】変更
【補正の内容】
【００３２】
図４は本発明に係るウォータージェット推進機を示す分解斜視図である。
インペラーハウジング３０は、円筒状に形成した部材であって、前端部３０ｂに４個の取付ブラケット５５…を所定間隔をおいて設け、取付ブラケット５５…にそれぞれ取付孔５６…を形成し、後端部３０ａに後フランジ５７を形成し、後フランジ５７の４隅部にそれぞれ取付ねじ孔５８…（左側の取付ねじ孔５８，５８のみを図示する）を形成したものである。
【手続補正５】
【補正対象書類名】明細書
【補正対象項目名】００４５
【補正方法】変更
【補正の内容】
【００４５】
図５は本発明に係るウォータージェット推進機を示す側面図、図６は本発明に係るウォータージェット推進機を示す後面図である。
インペラーハウジング３０の後端部３０ａにステーター３２の前端部３２ｂを突き当てるとともに、ステーター３２の後端部３２ａにノズル３４の前端部３４ｂを突き当てる。  この状態で、ノズル３４の取付孔９２…、ステーター３２の取付孔７４…および取付孔７２…、インペラーハウジング３０の取付ねじ孔５８…に、連結ボルト９４…を差し込み。
連結ボルト９４…のねじ部９４ｂ…を、取付ねじ孔５８…にそれぞれねじ結合する。
【手続補正６】
【補正対象書類名】明細書
【補正対象項目名】００５１
【補正方法】変更
【補正の内容】
【００５１】
インペラーハウジング３０、ステーター３２およびノズル３４を一体化した状態で、第１、第２の基台２７，２８（図２参照）に、インペラーハウジング３０の取付ブラケット５５…を当て、取付ブラケット５５…の取付孔５６…に取付ボルト９８…をそれぞれ差し込む。
取付ブラケット５５…から突出した取付ボルト９８…のねじ部９８ｂ…を、第１、第２の基台２７，２８のねじ孔（図示せず）にねじ結合する。
【手続補正７】
【補正対象書類名】明細書
【補正対象項目名】００７１
【補正方法】変更
【補正の内容】
【００７１】
１０…小型水上艇、１１…艇体、１５…艇尾（艇体の後部）、２０…ウォータージェット推進機、３０…インペラーハウジング、３０ａ…インペラーハウジングの後端部、３２…ステーター、３２ａ…ステーターの後端部、３４…ノズル、３４ａ…ノズルの後端部、３６…インペラー、６１…インペラーハウジングの外壁、６２…水案内通路、６３…水案内通路を形成する壁部、６４…左側第２張出片（第２張出片）、７６…ステーターの外壁、７８…水取出通路、８１…水取出通路を形成する壁部、８２…左側第１張出片（第１張出片）、９４…連結ボルト（第１ボルト）、９４ａ…連結ボルトの頭部（第１ボルトの頭部）、９６…ロックボルト（第２ボルト）、９６ａ…ロックボルトの頭部（第２ボルトの頭部）。
【手続補正８】
【補正対象書類名】図面
【補正対象項目名】図２
【補正方法】変更
【補正の内容】
【図２】
2006076501.tif 000014